(57)【要約】【課題】節電モード下にある装置に近づいたユーザが、初めに操作すべき箇所がどこなのか、その箇所が動作可能な状態なのかを判断することができず、迷ったり間違えた操作を行うことを防ぐ。【解決手段】通常電力モード及び当該通常電力モードよりも消費電力の少ない節電モードを少なくとも含む複数の動作モードを有する装置であって、前記装置の所定範囲内に存在する人を検知する人感センサと、前記装置にかざされた外部機器と無線によって通信する通信手段と、前記外部機器をかざす位置を光の点灯により示す第１誘導表示手段と、前記節電モードのときに前記人感センサが人を検知した場合、前記通信手段を前記外部機器と通信可能な状態にするよう制御すると共に、前記第１誘導表示手段が点灯するよう制御する制御手段と、を備えたことを特徴とする。【選択図】図５
2019075828.tif 000002
【特許請求の範囲】
【請求項１】
通常電力モード及び当該通常電力モードよりも消費電力の少ない節電モードを少なくとも含む複数の動作モードを有する装置であって、
前記装置の所定範囲内に存在する人を検知する人感センサと、
前記装置にかざされた外部機器と無線によって通信する通信手段と、
前記外部機器をかざす位置を光の点灯により示す第１誘導表示手段と、
前記節電モードのときに前記人感センサが人を検知した場合、前記通信手段を前記外部機器と通信可能な状態にするよう制御すると共に、前記第１誘導表示手段が点灯するよう制御する制御手段と、
を備えたことを特徴とする装置。
【発明の詳細な説明】
【技術分野】
【０００１】
本発明は、人感センサによって通常動作時よりも電力消費の少ない節電モードから通常電力モードへの電力復帰を行い、近距離無線通信に対応したデバイスと通信可能な装置における誘導表示技術に関する。
【背景技術】
【０００２】
節電モードを有する装置を節電モードから復帰させる際、ユーザに節電モードを解除するためのボタン（以下、節電ボタン）を押下させることは従来から行われている。例えば近年の画像形成装置は、ユーザが節電ボタンの位置を認識し易いように節電ボタンを点灯させるいわゆる誘導表示が行われている。しかし、それでも節電ボタンの位置を迷うユーザが多く、節電ボタンを押下しなくても自動で節電モードから復帰する画像形成装置が出現している。例えば、特許文献１には、特性の異なる２つの人感センサを用いて節電モードから復帰（節電モードを解除）する技術が開示されている。具体的には、第１の人感センサで人が装置に近付く動きを検知し、第２の人感センサで人が装置の前に到達したことを検知する。そして、第２のセンサで人が装置の前に留まっているのを検知した状態で第１の人感センサで人の動きを検知しなくなったことで、人が装置の前に立ち止まり操作する意思があるユーザであると判断するところにこの技術の特徴がある。
【０００３】
また別の機能として、近年の画像形成装置は、各ユーザに限定したカスタマイズ画面表示機能や、各ユーザの文書をセキュアにプリントするためのＩＤ認証機能を備えている。例えば、特許文献２には、ＮＦＣリーダ・ライタを備え、スマートフォン等のＮＦＣ対応デバイス内に保持した情報を読み取ってユーザ特有のカスタマイズ画面を表示する技術が開示されている。
【先行技術文献】
【特許文献】
【０００４】
【特許文献１】特開２０１２−１１４４９９号公報
【特許文献２】特開２０１０−２６３４８４号公報
【発明の概要】
【発明が解決しようとする課題】
【０００５】
特許文献１に開示されるような人感センサを用いた画像形成装置の場合、ユーザの立ち位置によっては上手く人感センサが働かず、自動的に節電モードを解除できないケースがある。そのような場合、人感センサによって自動で節電モードの解除がなされるのか、自分で節電ボタンを押下する必要があるのかを、ユーザは瞬時に判断できず、画像形成装置の前で該装置の反応を待ってしまうことがある。
【０００６】
また、特許文献２の技術を採用した画像形成装置でいつでもＮＦＣ通信可能な状態にするには、ＮＦＣリーダ・ライタへの常時電力供給が必要になるところ、節電モードなどで通電を遮断してしまうと、ＮＦＣ対応デバイスをタッチ操作しても通信ができなくなる。そうなると、こうした節電モード時などにおいて、ユーザは、画像形成装置がＮＦＣ通信可能な状態なのか、或いは通信を可能にするのに例えば節電ボタンなどを先に押下する必要があるのか等、どのような操作を行えば良いのか判断できずに混乱することになる。
【課題を解決するための手段】
【０００７】
本発明に係る装置は、通常電力モード及び当該通常電力モードよりも消費電力の少ない節電モードを少なくとも含む複数の動作モードを有する装置であって、前記装置の所定範囲内に存在する人を検知する人感センサと、前記装置にかざされた外部機器と無線によって通信する通信手段と、前記外部機器をかざす位置を光の点灯により示す第１誘導表示手段と、前記節電モードのときに前記人感センサが人を検知した場合、前記通信手段を前記外部機器と通信可能な状態にするよう制御すると共に、前記第１誘導表示手段が点灯するよう制御する制御手段と、を備えたことを特徴とする。
【発明の効果】
【０００８】
本発明によれば、人感センサによって節電モードからの自動復帰が可能な、外部機器との無線通信機能を備えた装置において、ユーザが外部機器をタッチ操作すべき装置上の位置や上記通信が可能な状態か否かを、ユーザへ分かりやすく知らせることができる。
【図面の簡単な説明】
【０００９】
【図１】画像形成装置とそれを利用するユーザを示した外観図である。
【図２】実施例１に係る、画像形成装置の簡略機能ブロック図である。
【図３】実施例１に係る、画像形成装置の各構成要素（機能部）の詳細を示すブロック図である。
【図４】実施例１に係る、画像形成装置の動作モードの遷移図である。
【図５】実施例１に係る、画像形成装置における動作モードの制御処理の流れを示すフローチャートである。
【図６】実施例１の節電モード下における、画像形成装置を構成する各部への電力供給状態を示す図である。
【図７】実施例１のＮＦＣ部動作可能モード下における、画像形成装置を構成する各部への電力供給状態を示す図である。
【図８】実施例１のログイン待機モード下における、画像形成装置を構成する各部への電力供給状態を示す図である。
【図９】実施例１の通常電力モード下における、画像形成装置を構成する各部への電力供給状態を示す図である。
【図１０】実施例１に係る、操作部の一例を示す図である。
【図１１】実施例１に係る、操作部上のＬＥＤを用いた誘導表示の一例を示す図である。
【図１２】実施例２に係る、画像形成装置の動作モードの遷移図である。
【図１３】実施例２に係る、操作部上のＬＥＤを用いた表示状態を示す図である。
【図１４】実施例２のＮＦＣ部連携有効モード下における、画像形成装置を構成する各部への電力供給状態を示す図である。
【図１５】実施例３に係る、画像形成装置の簡略機能ブロック図である。
【図１６】実施例３に係る、画像形成装置の各構成要素（機能部）の詳細を示すブロック図である。
【図１７】実施例３に係る、画像形成装置の動作モードの遷移図である。
【図１８】実施例３の節電モード下における、画像形成装置を構成する各部への電力供給状態を示す図である。
【図１９】実施例３のカードリーダ動作可能モード下における、画像形成装置を構成する各部への電力供給状態を示す図である。
【図２０】実施例３のログイン待機モード下における、画像形成装置を構成する各部への電力供給状態を示す図である。
【図２１】実施例３の通常電力モード下における、画像形成装置を構成する各部への電力供給状態を示す図である。
【図２２】実施例３のＮＦＣ部連携有効モード下における、画像形成装置を構成する各部への電力供給状態を示す図である。
【図２３】実施例２に係る、操作部上のＬＥＤを用いた誘導表示の一例を示す図である。
【発明を実施するための形態】
【００１０】
以下、添付の図面を参照して、本発明を好適な実施例に基づいて詳細に説明する。なお、以下の実施例において示す構成は一例にすぎず、本発明は図示された構成に限定されるものではない。
【００１１】
［実施例１］
図１は、画像形成装置とそれを利用するユーザを示した外観図であり、（ａ）は側面から見た図、（ｂ）は上面から見た図である。
【００１２】
画像形成装置１００は、プリント機能、スキャナ機能、コピー機能、ＦＡＸ機能などの複数の機能を備えるＭＦＰ（Multi Function Peripheral）である。画像形成装置１００は、装置に接近する人を検知するための人感センサ部６００を備えている。人感センサ部６００が接近する人を検知すると、画像形成装置１００は、消費電力を抑えた節電モードから上記複数の機能の何れかが使用可能な電力状態へ復帰する。
【００１３】
人感センサ部６００は、例えば赤外アレイセンサであり、人の体温により放射されている赤外線をライン状あるいはマトリクス状に配置された受光部で受け、赤外線受光強度の分布によって人の位置や画像形成装置１００との距離を検知することができる。そして、人感センサ部６００は、画像形成装置１００の所定範囲内に存在する人を、少なくとも２段階の距離で検知することができる。すなわち、２段階以上の検知範囲を有しており、本実施例では、外側検知エリアＡ１と内側検知エリアＡ２の２段階の検知エリアを有している。少なくとも２段階以上の検知エリアを有することによって、ユーザを画像形成装置１００から遠くで検知している状態と近くで検知している状態を区別する。なお、この人感センサ部６００は、机の上に置かれたコンピュータなどの障害物の影響を受けずに人を検知することが出来るよう、検知領域が上方になるように配置される。なお、検知エリアを２段階で設定出来ればセンサの配置は上方だけでなく正面や下方へ向けて配置しても構わない。
【００１４】
なお、人感センサ部６００は、上述の赤外アレイセンサに限定されるものではなく、人の有無と距離の変化が検知可能なセンサであればよい。例えば、非可聴域の４０ＫＨｚのパルス波を出力し、物体で反射した当該パルス波の反射波を受信して、パルス波の出力から反射波の受信までの時間に基づいて、装置と物体との間の距離を計測する超音波センサを用いてもよい。さらには、放射した赤外線を受光する赤外反射センサや、センサと対象物体との間の静電容量に基づいてセンサと対象物体との間の距離を計測する静電容量センサを用いてもよい。
【００１５】
さらに、画像形成装置１００は、外部機器との間で近距離無線通信（ＮＦＣ: Near Field Communication）の方式を用いて通信するためのアンテナを備えたＮＦＣ部７００を備えている。例えば、ＮＦＣ部７００は、当該ＮＦＣ部７００にかざされたＮＦＣ対応デバイス（ＮＦＣ対応の認証用カードなど）の情報を読み取るリーダ機能を備えている。また、ＮＦＣ部７００にかざされたスマートフォンなどを含むＮＦＣ対応のモバイル機器へ画像形成装置１００のＩＰアドレス情報やデータ等を書き込むライタ機能も有している。本実施例では、ＮＦＣ部７００は、画像形成装置１００の操作部５００に組み込まれているが、ユーザがタッチ操作しやすい位置であればよく、画像形成装置１００のどこに配置されてもよい。
【００１６】
図２は、本実施例に係る、画像形成装置１００の簡略機能ブロック図である。画像形成装置１００は、メインコントローラ部２００、スキャナ部３００、プリンタ部４００、操作部５００、人感センサ部６００、ＮＦＣ部７００及び電源部８００で構成される。そして、図３は、図２で示した各構成要素（機能部）の詳細を示すブロック図である。以下、各構成要素について、図２及び図３を参照して説明する。
【００１７】
メインコントローラ部２００は、スキャナ部３００などから入力された画像データを処理してプリンタ部４００で用いる印刷画像データを生成したり、操作部５００へ入力されたユーザ指示に応じてスキャナ部３００やプリンタ部４００などの各部を統括的に制御する。また、メインコントローラ部２００は、電源部８００を制御して画像形成装置１００の電力モードを制御する。
【００１８】
メインコントローラ部２００は、節電モード中にも動作が必要な電源系統１と、節電モード中は動作が不要な電源系統２との、少なくとも２系統の電源系統に分離される。電源系統１に対しては、電源Ｉ／Ｆ２０１から電源供給を受けた内部電源生成部２０２によって常に電力が供給される。電源系統１は、装置が節電モード中であっても、ＦＡＸ受信やネットワークからのプリント要求がされた場合に反応できるように、電源制御部２１１、ＬＡＮコントローラ２１２、及びＦＡＸコントローラ ２１３が接続される。電源系統２には、起動時に必要なＲＯＭ２２６、コピー動作時に必要な画像処理部２２２、スキャナＩ／Ｆ２２３、プリンタＩ／Ｆ２２４、ＨＤＤ２２５が接続され、節電モード時には電力が供給されない。電源制御部２１１は、節電モード中に接続先の各部から割り込み信号Ａ〜Ｄのいずれかが入力されると、内部電源生成部２０２を制御して電源系統２に電力を供給して節電モードを解除する。ここで、割り込み信号について説明する。
【００１９】
割り込み信号Ａは、ＦＡＸコントローラ２１３から出力される信号であり、ＦＡＸ回線からＦＡＸを受信すると出力される。
【００２０】
割り込み信号Ｂは、ＬＡＮコントローラ２１２から出力される信号であり、プリントジョブパケットや状態確認パケットを受信すると出力される。
【００２１】
割り込み信号Ｃ及びＤは、操作部５００内部のマイコン５１４から出力される信号であり詳細は後述する。
【００２２】
割り込み信号Ａ〜Ｄによってメインコントローラ２００内部の電源系統２にも通電されると、節電モードへ移行する前の状態（通常電力モード）へ装置を復帰させるために、電源系統１でセルフリフレッシュを行っていたＲＡＭ２１４から状態情報が読み出される。その後、画像形成装置１００が通常電力モードへ復帰した際は、割り込み信号Ａ〜Ｄの復帰要因に応じた処理がＣＰＵ２２１によって行われる。
【００２３】
スキャナ部３００は、不図示の原稿台にセットされた原稿を光学的に読み取って画像データを生成する。スキャナ部３００は、スキャナ制御部３２１とスキャナ駆動部３２２とで構成される。スキャナ駆動部３２２には、原稿を読み取る読取ヘッドを移動させるための駆動部や原稿を読取位置まで搬送するための駆動部などが含まれる。スキャナ制御部３２１は、ユーザによって設定されたスキャン設定情報をメインコントローラ部２００から取得し、取得したスキャン設定情報に基づいてスキャナ駆動部３２２の動作を制御する。
【００２４】
プリンタ部４００は、例えば電子写真方式に従って記録媒体（用紙）に画像を形成する。プリンタ部４００は、プリンタ制御部４２１とプリンタ駆動部４２２とで構成される。プリンタ駆動部４２２には、感光ドラムを回転させるモータ、定着器を加圧するための機構部、ヒータなどが含まれる。プリンタ制御部４２１は、ユーザによって設定された印刷設定情報をメインコントローラ部２００から取得し、取得した印刷設定情報に基づいてプリンタ駆動部４２２の動作を制御する。
【００２５】
操作部５００は、ＬＣＤパネルとタッチパネルが一体になったＬＣＤタッチパネル５２４、テンキーやスタートキーなどのユーザのキー操作を検知するキー部５１５、及びブザー５２６を有する。ＬＣＤタッチパネル５２４には、ＬＣＤコントローラ５２３がメインコントローラ２００から受け取った画像データが描画される。ＬＣＤタッチパネル５２４の画面をユーザが触れて操作すると、タッチパネルコントローラ５１６が触れられた箇所の座標データを解析してマイコン５１４へ通知し、マイコン５１４がＣＰＵ２２１へ通知する。マイコン５１４は、キー部５１５へのキー操作を定期的にスキャンし、ユーザによるキー操作があった場合、ＣＰＵ２２１へ通知する。ＬＣＤタッチパネル５２４やキー部５１５への入力操作があったことの通知を受けると、ＣＰＵ２２１は、操作内容に応じて画像形成装置１００を動作させる。また、操作部５００には、複数のＬＥＤが内蔵されている。主電源ＬＥＤ５１１は、画像形成装置１００の主電源が入っている際に常に点灯するＬＥＤである。通知ＬＥＤ５２７は、マイコン５１４によって制御され、ジョブ実行中やエラー発生などの画像形成装置１００の状態をユーザに通知する。
【００２６】
そして、操作部５００の内部も、節電モード中にも動作が必要な電源系統１と、節電モード中は動作が不要な電源系統２の、少なくとも２系統の電源系統に分離される。電源系統１には、マイコン５１４、主電源ＬＥＤ５１１、節電ボタン５１２、タッチパネルコントローラ５１６及びキー部５１５が含まれ、電源Ｉ／Ｆ２０１から電源供給を受けた内部電源生成部２０２によって常に電力が供給される。電源系統２には、ＬＣＤコントローラ５２３、ＬＣＤタッチパネル５２４、ブザー５２６及び通知ＬＥＤ５２７が含まれ、節電モード中は電力供給が遮断される。
【００２７】
人感センサ部６００は、電源系統１に含まれ常に電力供給を受けるため、節電モード中でも人の動きを検知することができる。センサ６１１からの検知信号をマイコン５１４が定期的に受信して処理することによって人の動きの検知を行う。
【００２８】
ＮＦＣ部７００は、ＮＦＣ ＬＥＤ７１１、ＮＦＣ電源生成部７１２、ＮＦＣコントローラ７１３で構成される。ＮＦＣコントローラ７１３は、リーダ機能とライタ機能を数百ｍｓの間隔で切り替えて、アンテナ部（不図示）にかざされたＮＦＣ対応デバイスとの間で情報（データ）をリード又はライトする。ＮＦＣ電源生成部７１２は、ＮＦＣ部７００が動作するための電力を生成する。画像形成装置１００が節電モードの際は、ＮＦＣ電源生成部７１２における電力生成が停止されるので、ＮＦＣコントローラ７１３も動作しない。
【００２９】
続いて、画像形成装置１００における動作モード（電力モード）の遷移について説明する。
【００３０】
図４は、本実施例に係る、画像形成装置１００の動作モードの遷移図である。画像形成装置１００の動作モードは、コピー動作などを実行可能な通常電力モード（ＳＴ４）と、通常電力モードよりも電力消費の少ない節電モード（ＳＴ１）とに大別される。そして、通常電力モード（ＳＴ４）と節電モード（ＳＴ１）との間には、その中間状態として、ＮＦＣ部動作可能モード（ＳＴ２）とログイン待機モード（ＳＴ３）という２つの動作モードがさらに存在する。これら電力モードの制御は、メインコントローラ部２００が電源部８００を制御することで行われる。節電モード時には、スキャナ部３００やプリンタ部４００などへの電源供給が停止され、メインコントローラ部２００内部と操作部５００内部と人感センサ部６００へのみ電源供給がなされる。図５は、本実施例に係る、画像形成装置１００における上記動作モードの制御処理の流れを示すフローチャートである。以下、図５のフローチャートに沿って、画像形成装置１００の動作モードの遷移について詳しく説明する。
【００３１】
節電モード（ＳＴ１）下のステップ５０１において、マイコン５１４は、人感センサ部６００からの検知信号を定期的に受信し、外側検知エリアＡ１あるいは内側検知エリアＡ２内で人が検知されたかどうかを判定する。図６は、本実施例の節電モード下における、画像形成装置１００を構成する各部への電力供給状態を示す図である。図６において、グレーの部分は電力供給が停止されている箇所を示している。この節電モード下で人感センサ部６００によって人が検知された場合は、ステップ５０３に進む。すなわち、ＮＦＣ部動作可能モード（ＳＴ２）への移行処理に進む。一方、人が検知されない場合（外側検知エリアＡ１内に居た人が居なくなった場合を含む）は、ステップ５０２に進む。
【００３２】
ステップ５０２において、マイコン５１４は、ＮＦＣ電源生成部７１２で電源生成がなされている場合は電源生成を停止する。図６に示すとおり、節電モード下ではＮＦＣコントローラ部７１３には電力が供給されないので、ＮＦＣ部７００は動作不能状態である。この事実をユーザに通知するべく、ＮＦＣ ＬＥＤ７１１（並びに節電ＬＥＤ５１３）は消灯状態とされる。ここで、ＮＦＣ ＬＥＤ７１１の点灯は、ＮＦＣ対応デバイスなどの外部機器を装置上のどの部分にかざせばよいのかをユーザに示す誘導表示の意味があり、その消灯は、ＮＦＣ対応デバイス等の外部機器による通信が可能な状態ではないことを示すことになる。また、節電ＬＥＤ５１３の点灯は、節電モードを解除するためのボタン等の指示部の位置をユーザに示す誘導表示の意味があり、その消灯は、節電モードから復帰させるためのユーザ操作が不要であることを示すことになる。
【００３３】
ステップ５０３において、マイコン５１４は、節電ＬＥＤ５１３を点灯（本実施例では点滅）させ、同時に、通電要求信号ＸをＮＦＣ電源生成部７１２へ出力する。この通電要求信号Ｘを受けてＮＦＣ電源生成部７１２は電力を生成し、ＮＦＣコントローラ７１３への電源供給を開始する。これにより、ＮＦＣ部７００は、動作（ＮＦＣ方式による通信）が可能な状態となる。
【００３４】
続くステップ５０４において、マイコン５１４は、ＮＦＣコントローラ７１３が起動してＮＦＣ部７００が動作可能になったことを確認して、ＮＦＣ ＬＥＤ７１１を点灯（本実施例では点滅）させる。これにより、ＮＦＣ部動作可能モード（ＳＴ２）への移行が完了することになる。図７は、本実施例のＮＦＣ部動作可能モード下における、画像形成装置１００を構成する各部への電力供給状態を示す図である。図６と比較すると、節電ＬＥＤ５１３、ＮＦＣ ＬＥＤ７１１及びＮＦＣコントローラ７１３が、電力供給の停止を示すグレーではなくなっているのが分かる。
【００３５】
ステップ５０５において、マイコン５１４は、ＮＦＣによる通信がなされたかどうか（ＮＦＣ部７００にＮＦＣ対応デバイスがかざされたかどうか）を判定する。ここで、ＮＦＣによる通信がなされるということは、例えばＮＦＣ対応の認証用カードを用いた、ログイン（ユーザ認証）のためのユーザ操作がなされたことを意味する。もちろん、認証用のカードに限定されるものではなく、たとえばユーザ認証用のＩＤ情報などが格納されたスマートフォンなどであってもよい。ＮＦＣによる通信がなされていればステップ５１５に進み、通常電力モード（ＳＴ４）に移行する。一方、ＮＦＣ通信がなされていなければ、ステップ５０６に進む。
【００３６】
ステップ５０６において、マイコン５１４は、内側検知エリアＡ２の範囲内で人が検知されているかどうかを判定する。内側検知エリアＡ２の範囲内で人が検知されている場合は、ステップ５０７に進む。一方、内側検知エリアＡ２の範囲内で人が検知されていない場合は、ステップ５０１に戻る。
【００３７】
ステップ５０７において、マイコン５１４は、内側検知エリアＡ２の範囲内で人が検知されている状態のまま、所定時間（例えば０．５ｓｅｃ）が経過したかどうかを判定する。ここで、所定時間は任意であり、予めユーザ等が設定しＲＡＭ等に保持しておけばよい。判定の結果、内側検知エリアＡ２の範囲内で人が検知されている状態のまま所定時間が経過していればステップ５０８に進む。一方、所定時間が経過する前に内側検知エリアＡ２の範囲内で人が検知されなくなれば、ステップ５０５に戻る。なお、本実施例では処理フローの簡単化のため、内側検知エリアＡ２の範囲内で人が検知された後、所定時間の間、検知状態が維持されるかどうかを判定している。このような判定処理は、具体的には以下のようにして実現される。まず、人感センサで人が検知されてステップ５０３に処理が移行する段階で、経過時間測定処理のための変数Ｎを初期化（Ｎ＝０）し、その上で所定時間（例えば１００ｍｓｅｃ）のウエイト処理をステップ５０５の判定処理の前に行うようにする。そして、内側検知エリアＡ２の範囲内で人が検知されていると判定された段階で（ステップ５０６でＹｅｓ）、変数Ｎをインクリメント（＋１）し、続いて変数Ｎの値が閾値（例えば５）以上であるかどうかを判定する。この閾値判定の結果、変数Ｎの値が閾値未満であれば上述のウエイト処理に戻って処理を続行する。そして、変数Ｎの値が閾値以上となった段階で、内側検知エリアＡ２の範囲内で人が検知されている状態のまま所定時間が経過したものと判定するようにすればよい。
【００３８】
ステップ５０８において、マイコン５１４は、割り込み信号Ｃを電源制御部２１１へ出力する。割り込み信号Ｃを受け取った電源制御部２１１は、メインコントローラ部２００の電源系統２、操作部５００の電源系統２、スキャナ制御部３２１、及びプリンタ制御部４２１に対して電力供給を行う。電力供給を受けて起動したＣＰＵ２２１は、ＲＡＭ２１４内に格納されていた状態を復元して、ＮＦＣ部動作可能モード（ＳＴ２）からログイン待機モード（ＳＴ３）へと移行する。なお、節電モード（ＳＴ１）及びＮＦＣ部動作可能モード（ＳＴ２）の各状況下においては、人感センサ部６００による人の検知に拠らず、節電ボタン５１２の押下、ＬＣＤタッチパネル５２４へのタッチ操作、キー部５１５の押下に応じて割り込み信号Ｃを出力し、ログイン待機モード（ＳＴ３）へ移行させることが可能である。
【００３９】
ステップ５０９において、マイコン５１４は、節電ＬＥＤ５１３を消灯する。ログイン待機モード（ＳＴ３）では、節電ＬＥＤ５１３は常に消灯状態となる。図８は、本実施例のログイン待機モード下における、画像形成装置１００を構成する各部への電力供給状態を示す図である。図８においては、電力供給が停止されていた部分のうち、電源系統２、スキャナ部３００内のスキャナ制御部３２１、プリンタ部４００内のプリンタ制御部４２１が、電力供給の停止を示すグレーではなくなっている。なお、ＮＦＣ ＬＥＤ７１１が半分だけグレーで表されているのは、人感センサ部６００で人が検知されたかどうかによって点灯／消灯が切り替わることを意味している。
【００４０】
ステップ５１０において、マイコン５１４は、ＮＦＣによる通信がなされたかどうか（ＮＦＣ部７００にＮＦＣ対応デバイスがかざされたかどうか）を判定する。ＮＦＣによる通信がなされていればステップ５１５に進み、通常電力モード（ＳＴ４）に移行する。一方、ＮＦＣによる通信がなされていなければ、ステップ５１１に進む。なお、ＮＦＣによる通信がなされることの意味は、ステップ５０５で説明したとおりである。
【００４１】
ステップ５１１において、マイコン５１４は、人感センサ部６００の外側検知エリアＡ１或いは内側検知エリアＡ２のいずれかで人が検知されているかどうかを判定する。この判定処理は、上述のステップ５０１と同じである。外側検知エリアＡ１あるいは内側検知エリアＡ２内で人が検知された場合は、ステップ５１３に進む。一方、人が検知されていない場合は、ステップ５１２に進む。
【００４２】
ステップ５１２において、マイコン５１４は、ＮＦＣ ＬＥＤ７１１を消灯する。
【００４３】
ステップ５１３において、マイコン５１４は、ＮＦＣ ＬＥＤ７１１を点灯（本実施例では、点滅）する。
【００４４】
ステップ５１４において、マイコン５１４は、ログイン待機モード下でユーザが何も操作しないまま、所定時間（例えば３０ｓｅｃ）が経過したかどうかを判定する。ここで、所定時間は任意であり、予めユーザ等が設定しＲＡＭ等に保持しておけばよい。判定の結果、ログイン待機状態のまま所定時間が経過していればステップ５０１に戻る。これにより、節電モード（ＳＴ１）に移行することになる。一方、所定時間が経過していなければステップ５１０に戻り、ログイン待機モード下における各処理を続行する。つまり、ログイン待機モードに入ってから所定時間の間は、画像形成装置１００の前に人が居ればＮＦＣ ＬＥＤ７１１が点灯（点滅）し、人が居ない場合は消灯することになる。なお、ＮＦＣコントローラ７１３は、ログイン待機モードでは常に動作可能状態である。このように、ログイン待機モード（ＳＴ３）においては、節電ＬＥＤ５１３の消灯によって節電ボタン５１２の押下操作が不要であること、並びにＮＦＣ ＬＥＤ７１１の点灯によってＮＦＣ部７００が動作可能であることがユーザに通知される。なお、本実施例では、ログイン待機モードではスキャナ部３００内のスキャナ駆動部３２２及びプリンタ部４００内のプリンタ駆動部４２２には電力供給を行なわないので（図８参照）、画像形成装置１００の消費電力をユーザが使用する直前まで抑制することが可能である。もちろん、上記２つの駆動部を通電状態にしても構わない。
【００４５】
ＮＦＣ部動作可能モード（ＳＴ２）若しくはログイン待機モード（ＳＴ３）のどちらかの動作モード下でＮＦＣ部７００にＮＦＣ対応デバイスがかざされる（ＮＦＣによる通信がなされる）と、ステップ５１５において、マイコン５１４は、割り込み信号Ｄを出力する。割り込み信号Ｄを受け取った電源制御部２１１は、電源系統２における電源供給が停止されている場合には電源系統２への電源供給を再開した後に、ＣＰＵ２２１に対し認証要求通知を出力する。ＣＰＵ２２１は、認証要求通知を受け取るとユーザ認証処理を行って、画像形成装置１００を通常電力モード（ＳＴ４）へと移行させる。なお、本フローでは省略しているが、ユーザ認証処理によって正規のユーザでないと判定されたような場合は、その旨のメッセージを操作部５００の画面上に表示するなどした上で、例えばログイン待機モード（ＳＴ３）に進む（維持する）といった処理を行えばよい。
【００４６】
通常電力モード（ＳＴ４）下のステップ５１６において、マイコン５１４は、ＮＦＣ ＬＥＤ７１１を、人感センサ部６００で人が検知されているかどうかに関わらず常に消灯する。これによりユーザは、ログインが完了しており、ユーザ認証のためのＮＦＣ対応デバイス（認証用カード）をＮＦＣ部７００へかざす必要が無いことを認識することができる。図９は、本実施例の通常電力モード下における、画像形成装置１００を構成する各部への電力供給状態を示す図である。図９では、節電ＬＥＤ５１３とＮＦＣ ＬＥＤ７１１のみが、電力停止状態を示すグレーになっている。
【００４７】
図１０は、本実施例に係る、操作部５００の一例を示す図である。ユーザがＮＦＣ対応デバイスをＮＦＣ部７００へタッチ操作し易いように、ＮＦＣ部７００は操作部５００の手前側に配置されている。図１０において、主電源ＬＥＤ５１１は、画像形成装置１００の主電源がオンの状態であれば常に点灯するよう制御される。節電ＬＥＤ５１３は、節電ボタン５１２（例えば乳白濁色のカバーで構成）の下に配置されており、点灯すると節電ボタン５１２全体が点灯しているように見える。ＮＦＣ ＬＥＤ７１１は、ＮＦＣ部７００のアンテナパターンの中心位置に配置され、例えば十字型の乳白濁色カバーの形状によりタッチ操作する場所の中心位置を目印として示す。なお、ＮＦＣ ＬＥＤ７１１の形状は、ＮＦＣ対応デバイスをかざす場所をユーザに認識させ得るような形状であればよく、十字型の形状の他、例えばアンテナ外周を示す枠の形状であってもよい。
【００４８】
図１１は、本実施例に係る、画像形成装置１００の上述した各動作モードにおける、操作部５００上のＬＥＤを用いた誘導表示の一例を示す図である。
【００４９】
図１１（ａ）は、節電モード（ＳＴ１）における表示状態を示している。人感センサ部６００の外側検知エリアＡ１及び内側検知エリアＡ２のいずれにも人が居ないという状況下であり、主電源ＬＥＤ５１１のみが点灯している。
【００５０】
図１１（ｂ）は、ＮＦＣ部動作可能モード（ＳＴ２）における表示状態を示している。人が人感センサ部６００の外側検知エリアＡ１に侵入した状況下であり、節電ＬＥＤ５１３とＮＦＣ  ＬＥＤ７１１が点灯（点滅）している。これにより、ユーザの視線を節電ボタン５１２やＮＦＣ部７００へと向けさせる誘導効果がある。
【００５１】
図１１（ｃ）は、ログイン待機モード（ＳＴ３）における表示状態を示している。人が人感センサ部６００の内側検知エリアＡ２にまで侵入した状況下であり、この場合は節電モード（ＳＴ１）から自動復帰することになる。そのため、節電ＬＥＤ５１３を消灯させて、節電ボタン５１２の押下が不要であることをユーザに知らせている。図１１（ｃ）の例では、ＬＣＤタッチパネル５２４の画面にはログイン待ち状態であることを知らせるメッセージ画面が併せて表示されている。
【００５２】
図１１（ｄ）は、通常電力モード（ＳＴ４）における表示状態を示している。そして、これはＮＦＣ部動作可能モード（ＳＴ２）又はログイン待機モード（ＳＴ３）において、ユーザがＮＦＣ部７００にＮＦＣ対応デバイスをかざした以後の状況である。画像形成装置１００の各機能を直ちに利用可能な状態であるため、認証用カード等のタッチ操作を誘導するためのＮＦＣ ＬＥＤ７１１は消灯し、ＬＣＤタッチパネル５２４には利用する機能をユーザが選択するためのメニュー画面が表示されている。
【００５３】
以上の通り本実施例に依れば、装置上のＮＦＣリーダ・ライタに対応するＬＥＤが、装置の動作モード（電力モード）の移行状態や人感センサの検知状況に応じて点灯（点滅）する。これにより、ユーザは、ログインするためのＮＦＣ対応デバイスをタッチ操作すべき装置上の位置、並びにＮＦＣ通信可能な状態か否かを正確に知ることができる。
【００５４】
そして、人感センサによってＮＦＣリーダ・ライタを優先して節電モードから復帰させることで、ユーザは、装置の復帰（通常電力モードへの復帰）を待つことなく、ＮＦＣ対応デバイスのタッチ操作をスムーズに行うことが可能となる。
【００５５】
また、節電モードが解除されたことを節電ボタンに対応するＬＥＤを消灯させることで、節電ボタンを押下するといった復帰のための操作を自らする必要がないことをユーザは把握することができる。
【００５６】
さらに、ユーザが画像形成装置の一定範囲内に存在しない場合は、人感センサによってそれを検知し、たとえＮＦＣ通信可能な状態であっても不要な誘導表示の実行を抑制することができる。
【００５７】
［実施例２］
次に、画像形成装置へのログイン後に、ＮＦＣ対応デバイスと連携してデータを送受信する動作モードが加わった態様を、実施例２として説明する。なお、実施例１と共通する部分については説明を省略ないしは簡略化し、以下では差異点を中心に説明するものとする。
【００５８】
図１２は、本実施例に係る、画像形成装置１００の動作モードの遷移図である。実施例１の状態遷移図である図４と比較すると、新たにＮＦＣ部連携有効モード（ＳＴ５）が追加されている。このＮＦＣ部連携有効モード（ＳＴ５）は、ログイン完了後に、スマートフォンなどのＮＦＣ対応デバイスと画像形成装置１００との間でペアリングを行なって、例えばBluetooth(登録商標)やWi-Fiといった通信規格でのデータ通信を行うことができる動作モードである。
【００５９】
図１３は、本実施例に係る、通常電力モード及びＮＦＣ部連携有効モードにおける、操作部５００上のＬＥＤを用いた誘導表示の一例を示す図である。図１３（ａ）は本実施例の通常電力モード（ＳＴ４）時の表示状態を示す図であり、実施例１の図１１（ｄ）における「Ｈｅｌｐボタン」部分が、「ＮＦＣ対応デバイス連携ボタン５３０」に変更されている。ＮＦＣ対応デバイス連携ボタン５３０は、画像形成装置１００をＮＦＣ対応デバイスとの間でペアリングを行なって、データ通信が可能な動作状態に移行させるためのボタンである。そして、図１３（ｂ）は、ＮＦＣ部連携有効モード（ＳＴ５）時の表示状態を示す図である。通常電力モード下で上述のＮＦＣ対応デバイス連携ボタン５３０（図１３（ａ）参照）が押下されるとＮＦＣ部連携有効モード（ＳＴ５）に遷移する。図１４は、本実施例のＮＦＣ部連携有効モード下における、画像形成装置１００を構成する各部への電力供給状態を示す図である。図１４においては、節電ＬＥＤ５１３のみがグレーで示され、ＮＦＣ ＬＥＤ７１１は電力供給状態であることが分かる。すなわち、ＮＦＣ部連携有効モード（ＳＴ５）では、人感センサ部６００の検知結果に依らず、ＮＦＣ ＬＥＤ７１１は常に点灯（点滅）することになる。これにより、スマートフォン等のＮＦＣ対応デバイスをタッチ操作する部分をユーザに知らせるようにしている。そして、ＮＦＣ部連携有効モード下において、ＮＦＣ対応デバイスとのデータ通信が終了、或いはＨｏｍｅボタン５３１（図１３（ｂ）参照）が押下されると、通常動作電力モード（ＳＴ４）へ戻り、ＮＦＣ ＬＥＤ７１１は再び消灯することになる。なお、以上説明した点を除いて動作モードの移行制御の内容は実施例１と同じである。
【００６０】
以上の通り、本実施例では、ＮＦＣ対応デバイスと画像形成装置との間でＮＦＣ通信によりデータ通信を行なう動作モード時には、ＮＦＣリーダ・ライタに対応するＬＥＤを点灯（点滅）させる。これにより、ペアリングのためにＮＦＣ対応デバイスをタッチ操作する位置をユーザに的確に知らせることができる。
【００６１】
［実施例３］
続いて、画像形成装置がＮＦＣ非対応の認証用カードのためのカードリーダを別途備えている場合の態様について、実施例３として説明する。なお、実施例１及び２と共通する部分については説明を省略ないしは簡略化し、以下では差異点を中心に説明するものとする。
【００６２】
図１５は、本実施例に係る、画像形成装置１００の簡略機能ブロック図である。画像形成装置１００は、メインコントローラ部２００、スキャナ部３００、プリンタ部４００、操作部５００、人感センサ部６００、ＮＦＣ部７００、電源部８００及びカードリーダ部９００で構成される。そして、図１６は、図１５で示した各構成要素（機能部）の詳細を示すブロック図である。
【００６３】
実施例１との相違点は、ＮＦＣには対応していない（ＮＦＣ以外の方式による無線通信に対応）認証用カードの読み取りのための専用のカードリーダ部９００が追加され、それに伴う接続関係も追加されている点である。具体的には、メインコントローラ部２００内部にカードコントローラ２１５が設けられ、これがカードリーダ部９００内のカードリーダ９１２と接続される。
【００６４】
カードリーダ部９００は、カードリーダ９１２とカードリーダＬＥＤ９１１で構成される。カードリーダＬＥＤ９１１は、操作部５００のマイコン５１４によって点灯（点滅）／消灯が制御される。
【００６５】
図１７は、本実施例に係る、画像形成装置１００の動作モードの遷移図である。本実施例における動作モードとしては、節電モード（ＳＴ１’）、カードリーダ部動作可能モード（ＳＴ２’）、ログイン待機モード（ＳＴ３’）、通常電力モード（ＳＴ４’）及びＮＦＣ部連携有効モード（ＳＴ５’）が存在する。
図１８〜図２２は、本実施例における各動作モード時の、画像形成装置１００を構成する各部への電力供給状態を示す図である。以下、順に説明する。
【００６６】
節電モード（ＳＴ１’）においては、図１８に示すとおり、ＮＦＣ部７００は動作不能状態であるものの（ＮＦＣ ＬＥＤ７１１は消灯）、カードリーダ９１２とカードコントローラ２１５は通電された状態でありカード認識動作が可能な状態である。これは、一例として、人感センサ部６００の検知エリア外となるような死角からユーザが手を伸ばして認証用カードをかざし、ログインを試みるような場合を想定したものである。ただし、消費電力を抑えるために例えば間隔を２秒おき程度にカード認識動作を行う。マイコン５１４は人感センサ部６００から検知信号を定期的に受信し、外側検知エリアＡ１或いは内側検知エリアＡ２に人が侵入したことを検知すると、節電ＬＥＤ５１３及びカードリーダＬＥＤ９１１を点灯（点滅）させて、カードリーダ部動作可能モード（ＳＴ２’）へ移行する。
【００６７】
カードリーダ部動作可能モード（ＳＴ２’）においては、図１９に示すとおり、マイコン５１４は、節電ＬＥＤ５１３及びカードリーダＬＥＤ９１１を点灯（点滅）させる。さらに、マイコン５１４は、カードコントローラ２１５に対し認証用カードの認識間隔を短く（例えば１００ｍｓｅｃ）するように指示する。指示を受けてカードコントローラ２１５は、所定の短い間隔でカード認識動作を行い、カード認識の反応速度を高める。そして、センサ検知エリアＡ１から人が居なくなると、マイコン５１４は節電ＬＥＤ５１３とカードリーダＬＥＤ９１１の点灯（点滅）を停止させる。一方、内側検知エリアＡ２にまでさらに人が侵入した状態を所定時間の間で検知すると、マイコン５１４は割り込み信号Ｃを電源制御部２１１へ出力する。これを受けて電源制御部２１１は、メインコントローラ部２００の電源系統２、操作部５００の電源系統２、スキャナ制御部３２１、プリンタ制御部４２１に対し電力供給を行う。そして、電力供給を受けて起動したＣＰＵ２２１は、ＲＡＭ２１４内に格納されていた状態を復元し、ログイン待機モード（ＳＴ３’）へと移行する。
【００６８】
ログイン待機モード（ＳＴ３’）においては、図２０に示すとおり、節電ＬＥＤ５１３は常に消灯となる。しかし、カードリーダＬＥＤ９１１は、人感センサ部６００で人が検知されていれば点灯（点滅）し、人が検知されていなければ消灯となる。これにより、節電ボタン５１２の押下操作が不要であること、及びカードリーダ部９００が動作可能であることをユーザへ通知することができる。
【００６９】
カードリーダ部動作可能モード（ＳＴ２’）及びログイン待機モード（ＳＴ３’）のどちらかの状態で、カードリーダ９１２にログイン用の認証用カードがかざされると、カードコントローラ２１５は、電源制御部２１１に対し割り込み信号Ｅを出力する（図２１を参照）。割り込み信号Ｅを受けて電源制御部２１１は、電源系統２への電力供給が停止されている場合には供給を開始して、ＣＰＵ２２１へ認証要求の信号を送る。認証要求信号を受けてＣＰＵ２２１は、ユーザ認証処理を行う。ユーザ認証が完了すると、通常電力モード（ＳＴ４’）へ移行する。
【００７０】
通常電力モード（ＳＴ４’）においては、認証用カードＬＥＤ９１１は、図２１に示すとおり、人感センサ部６００における人の検知の有無に関わらず常に消灯となる。これによりユーザは、認証用カードをカードリーダ部９００へかざす必要が無くなったことを認識することができる。通常電力モード（ＳＴ４’）の状況下で、操作部５００のＬＣＤタッチパネル５２４に表示されたＮＦＣ対応デバイス連携ボタン５３０が押下されるとＮＦＣ部連携有効モード（ＳＴ５’）に遷移する。
【００７１】
ＮＦＣ部連携有効モード（ＳＴ５’）においては、図２２に示すとおり、ＮＦＣコントローラ７１３が通電されて動作可能になり、ＮＦＣ ＬＥＤ７１１が点灯（点滅）となる。これによりユーザに対し、スマートフォン等のＮＦＣ対応デバイスをペアリングのためにタッチ操作する位置を知らせる。また、ＮＦＣ部連携有効モード（ＳＴ５）では、人感センサ部６００における人の検知の有無に関わらずＮＦＣ ＬＥＤ７１１は常に点灯（点滅）となる。
【００７２】
図２３は、本実施例に係る、画像形成装置１００の上述した各動作モードにおける、操作部５００上のＬＥＤを用いた誘導表示の一例を示す図である。
【００７３】
図２３（ａ）は、節電モード（ＳＴ１’）における表示状態を示し、主電源ＬＥＤ５１１だけが点灯している。この状況下で、人感センサ部６００の外側検知エリアＡ１或いは内側検知エリアＡ２に人が侵入すると、カードリーダ部動作可能モード（ＳＴ２’）に移行する。
【００７４】
図２３（ｂ）は、カードリーダ部動作可能モード（ＳＴ２’）における表示状態を示し、節電ＬＥＤ５１３とカードリーダＬＥＤ９１１が点灯（点滅）している。これによりカードリーダ部９００の位置及びカードリーダ部９００が通信可能であることがユーザに知らされる。この状況下で、内側検知エリアＡ２に人が近づきその状態が予め決められた時間以上経過すると、ログイン待機モード（ＳＴ３’）へ移行する。
【００７５】
図２３（ｃ）は、ログイン待機モード（ＳＴ３’）における表示状態を示している。このログイン待機モードは、通常電力状態に近いモードであり、節電ＳＷ５１２を押下する必要が無いので節電ＬＥＤ５１３は消灯となる。
【００７６】
図２３（ｄ）は、通常電力モード（ＳＴ４’）における表示状態を示している。カードリーダ部動作可能モード（ＳＴ２’）或いはログイン待機モード（ＳＴ３’）の下でカードリーダ部９００に認証用カードがタッチ操作されると、ユーザ認証処理が実行されてこの通常電力モード（ＳＴ４’）へ移行する。通常電力モード（ＳＴ４’）の下では、カードリーダＬＥＤ９１１は消灯となる。これにより認証用カードをかざす操作が不要になったことをユーザは把握できる。この状況下でＮＦＣ対応デバイス連携ボタン５３０が押下されると、ＮＦＣ部連携有効モード（ＳＴ５’）へ移行する。
【００７７】
図２３（ｅ）は、ＮＦＣ部連携有効モード（ＳＴ５’）における表示状態を示している。ＮＦＣ部連携有効モード（ＳＴ５’）の下では、ＮＦＣ ＬＥＤ７１１が点灯（点滅）となる。これにより、スマートフォン等のＮＦＣ対応デバイスをかざす位置とＮＦＣ通信が可能なことがユーザに知らされる。
【００７８】
以上のとおり、本実施例に依れば、カードリーダＬＥＤ９１１やＮＦＣ ＬＥＤ７１１を状況に併せて点灯させることにより、ＮＦＣ非対応の認証用カードやＮＦＣ対応デバイスをタッチ操作する位置、並びにそれらが通信可能な状態か否かをユーザに知らせることができる。そして、ＮＦＣ非対応の認証用カードとＮＦＣ対応デバイスといったように、タッチ操作が求められる箇所が複数存在する画像形成装置においても、ユーザにそれらのタッチ操作の位置と要否を的確に知らせることができる。
【００７９】
さらに、節電モードからの移行時に、人感センサによってカードリーダの認識間隔を短くし優先的に通信できる状態にすることで、ユーザは装置の復帰を待たずに認証用カードのタッチ操作を行うことが可能となる。
【００８０】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【図１】
2019075828.tif 000003
【図２】
2019075828.tif 000004
【図３】
2019075828.tif 000005
【図４】
2019075828.tif 000006
【図５】
2019075828.tif 000007
【図６】
2019075828.tif 000008
【図７】
2019075828.tif 000009
【図８】
2019075828.tif 000010
【図９】
2019075828.tif 000011
【図１０】
2019075828.tif 000012
【図１１】
2019075828.tif 000013
【図１２】
2019075828.tif 000014
【図１３】
2019075828.tif 000015
【図１４】
2019075828.tif 000016
【図１５】
2019075828.tif 000017
【図１６】
2019075828.tif 000018
【図１７】
2019075828.tif 000019
【図１８】
2019075828.tif 000020
【図１９】
2019075828.tif 000021
【図２０】
2019075828.tif 000022
【図２１】
2019075828.tif 000023
【図２２】
2019075828.tif 000024
【図２３】
2019075828.tif 000025
【手続補正書】
【提出日】平成31年3月5日(2019.3.5)
【手続補正１】
【補正対象書類名】特許請求の範囲
【補正対象項目名】全文
【補正方法】変更
【補正の内容】
【特許請求の範囲】
【請求項１】
第１電力モード及び前記第１電力モードよりも消費電力が多い第２電力モードを少なくとも含む複数の動作モードを有する装置であって、
人を検知する検知手段と、
無線通信可能なデバイスと無線通信する無線通信手段と、
前記デバイスをかざす位置を発光させる第１発光手段と、
前記第１電力モードのときに前記検知手段によって人が検知された場合、前記装置を前記第１電力モードから前記第２電力モードに移行し、前記第１発光手段を所定の発光状態にする制御手段と、
を備えることを特徴とする装置。
【請求項２】
前記装置を前記第１電力モードから復帰させるためのユーザ指示を受け付ける受付部を発光させる第２発光手段をさらに備え、
前記制御手段は、前記第１電力モードのときに前記検知手段によって人が検知された場合、前記第２発光手段を所定の発光状態にする、ことを特徴とする請求項１に記載の装置。
【請求項３】
前記検知手段は、検知範囲として、第１範囲と前記第１範囲より前記装置に近い位置を含む第２範囲とを有し、
前記制御手段は、
前記検知手段が前記第１範囲で人を検知した場合、前記装置を前記第１電力モードから前記第２電力モードに移行し、前記第１発光手段を所定の発光状態にし、
前記検知手段が前記第２範囲で人を検知した場合、前記装置を前記第２電力モードから前記第２電力モードより消費電力が多い第３電力モードに移行し、前記第１発光手段を前記所定の発光状態に維持する、
ことを特徴とする請求項２に記載の装置。
【請求項４】
前記制御手段は、前記デバイスとの間で所定の通信が行われると、前記装置を前記第３電力モードから前記第３電力モードより消費電力が多い第４電力モードに移行させ、前記第１発光手段の発光を停止する、ことを特徴とする請求項３に記載の装置。
【請求項５】
前記制御手段は、前記デバイスとの間で所定の通信が行われると、前記第２発光手段の発光を停止する、ことを特徴とする請求項４に記載の装置。
【請求項６】
前記制御手段は、前記第２電力モード時に、前記検知手段によって人が検知された状態で所定時間が経過した場合、前記第２発光手段の発光を停止する、ことを特徴とする請求項２に記載の装置。
【請求項７】
ユーザが入力操作を行うための操作手段をさらに有し、
前記制御手段は、前記第４電力モードにおいて、前記デバイスとのペアリングによりデータ通信を可能にする動作モードに移行させる操作が前記操作手段を介してなされた場合、前記第１発光手段を発光させる
ことを特徴とする請求項４に記載の装置。
【請求項８】
前記デバイスをかざす位置は、前記操作手段に設けられることを特徴とする請求項７に記載の装置。
【請求項９】
前記デバイスはＮＦＣ対応デバイスであることを特徴とする請求項１乃至８のいずれか１項に記載の装置。
【請求項１０】
前記第１発光手段は、ＬＥＤであることを特徴とする請求項１乃至９のいずれか１項に記載の装置。
【請求項１１】
前記第１発光手段の前記所定の発光状態は、点灯状態又は点滅状態であることを特徴とする請求項１乃至１０のいずれか１項に記載の装置。
【請求項１２】
前記無線通信は、近距離無線通信である、ことを特徴とする請求項１乃至１１の何れか１項に記載の装置。
【請求項１３】
前記デバイスは、ＮＦＣ対応のカード又はＮＦＣ対応のモバイル機器である、ことを特徴とする請求項１乃至１２の何れか１項に記載の装置。
【請求項１４】
前記無線通信手段は、前記デバイスにデータをライトする、及び、前記デバイスからデータをリードする、ことを特徴とする請求項１乃至１３の何れか１項に記載の装置。
【請求項１５】
用紙に画像を印刷するプリンタ部をさらに備える、ことを特徴とする請求項１乃至１４の何れか１項に記載の装置。
【請求項１６】
原稿の画像を読み取るスキャナ部をさらに備える、ことを特徴とする請求項１乃至１５の何れか１項に記載の装置。
【請求項１７】
第１電力モード及び前記第１電力モードよりも消費電力が多い第２電力モードを少なくとも含む複数の動作モードを有する装置の制御方法であって、
前記装置は、
人を検知する検知手段と、
無線通信可能なデバイスと無線通信する無線通信手段と、
前記デバイスをかざす位置を発光させる第１発光手段と、
を備え、
前記第１電力モードのときに前記検知手段によって人が検知された場合、前記装置を前記第１電力モードから前記第２電力モードに移行し、前記第１発光手段を所定の発光状態にすることを特徴とする制御方法。
【手続補正２】
【補正対象書類名】明細書
【補正対象項目名】０００７
【補正方法】変更
【補正の内容】
【０００７】
本発明に係る装置は、第１電力モード及び前記第１電力モードよりも消費電力が多い第２電力モードを少なくとも含む複数の動作モードを有する装置であって、人を検知する検知手段と、無線通信可能なデバイスと無線通信する無線通信手段と、前記デバイスをかざす位置を発光させる第１発光手段と、前記第１電力モードのときに前記検知手段によって人が検知された場合、前記装置を前記第１電力モードから前記第２電力モードに移行し、前記第１発光手段を所定の発光状態にする制御手段と、を備えたことを特徴とする。